(57)【要約】      （修正有）【課題】運動などの活動情報の履歴を容易に確認することが可能なウェアラブル機器を提供する。【解決手段】ウェアラブル機器１００は、ユーザーの活動を計測する少なくとも一つのセンサーと、センサーで測定されたデータに基づいて、複数の時点における活動情報を導出する処理部３００と、活動情報を表示する表示部５０と、表示部５０の周縁に沿って配置され、ユーザーの操作に対応した操作信号を出力する回転ベゼル２１３と、を備え、処理部３００は、操作信号に基づいて、複数の時点から選択された選択時点に対応する活動情報を表示部５０に表示させる。【選択図】図６
2018189477.tif 000002
【特許請求の範囲】
【請求項１】
ユーザーの活動を計測する少なくとも一つのセンサーと、
前記センサーで測定されたデータに基づいて、複数の時点における活動情報を導出する処理部と、
前記活動情報を表示する表示部と、
前記表示部の周縁に沿って配置され、前記ユーザーの操作に対応した操作信号を出力するベゼル部と、を備え、
前記処理部は、前記操作信号に基づいて、前記複数の時点から選択された選択時点に対応する前記活動情報を前記表示部に表示させることを特徴とするウェアラブル機器。
【請求項２】
ユーザーの活動を計測する少なくとも一つのセンサーと、
前記センサーで測定されたデータに基づいて、複数の時点における活動情報を導出する処理部と、
前記活動情報を表示する表示部と、
前記ユーザーの操作に対応した操作信号を出力するタッチセンサーと、を備え、
前記処理部は、前記操作信号に基づいて、前記複数の時点から選択された選択時点に対応する前記活動情報を前記表示部に表示させることを特徴とするウェアラブル機器。
【請求項３】
請求項１または２において、
前記ユーザーの活動の目標情報を取得する取得部を備え、
前記処理部は、前記操作信号に基づいて、前記複数の時点から選択された選択時点に対応する前記活動情報と前記目標情報とを用いて進捗情報を算出し、前記進捗情報を前記表示部に表示させることを特徴とするウェアラブル機器。
【請求項４】
請求項３において、
前記表示部は、第１の領域と、前記第１の領域とは異なる第２の領域と、を有し、
前記処理部は、前記活動情報を前記第１の領域に表示させ、前記進捗情報または前記選択時点に対応する前記活動情報の少なくとも一つを前記第２の領域に表示させることを特徴とするウェアラブル機器。
【請求項５】
請求項１ないし請求項４のいずれか一項において、
前記複数の時点は、前記ユーザーの活動におけるラップに対応していることを特徴とするウェアラブル機器。
【請求項６】
請求項３ないし請求項５のいずれか一項において、
前記処理部は、
前記選択時点における前記目標情報と前記活動情報とを比較した比較情報を算出し、前記比較情報を前記表示部に表示させることを特徴とするウェアラブル機器。
【請求項７】
請求項１ないし請求項６のいずれか一項において、
前記処理部は、前記活動情報に対して注記を付与し、前記注記と関連付けられた前記活動情報を前記表示部の前記第１の領域に表示させることを特徴とするウェアラブル機器。
【請求項８】
請求項１において、
前記複数の時点は、第１の時点と、前記第１の時点の後刻である第２の時点とを含み、
前記ベゼル部が第１の方向に回転された場合に前記選択時点は前記第２の時点から前記第１の時点へ移動し、前記ベゼル部が前記第１の方向と反対方向の第２の方向に回転された場合に前記選択時点は前記第１の時点から前記第２の時点へ移動することを特徴とするウェアラブル機器。
【請求項９】
センサーによって計測されたユーザーの活動に係るデータに基づいて、複数の時点における活動情報を導出し、
ベゼル部の回転操作に対応して出力された操作信号に基づいて、前記複数の時点から選択された選択時点に対応する前記活動情報を表示部に表示することを特徴とする表示方法。
【請求項１０】
センサーによって計測されたユーザーの活動に係るデータに基づいて、複数の時点における活動情報を導出し、
タッチセンサーの操作に対応して出力された操作信号に基づいて、前記複数の時点から選択された選択時点に対応する前記活動情報を表示部に表示することを特徴とする表示方法。
【発明の詳細な説明】
【技術分野】
【０００１】
本発明は、ウェアラブル機器、および表示方法に関する。
【背景技術】
【０００２】
従来、バンド等によって手首等の部位に装着され、装着者（ユーザー）の運動などの活動を計測したり、それに係る消費カロリーなどを求めたりする機能を有する腕時計状のウェアラブル機器が知られている。このようなウェアラブル機器として、例えば特許文献１には、円形計算尺の原理を利用する構成にして、運動をする者（ユーザー）の体重と運動時間の積を得る操作をしたときは、上記の積が示される位置と一定の関係にある位置に運動の種類毎に運動消費カロリーが示される消費カロリー計算装置が開示されている。
【先行技術文献】
【特許文献】
【０００３】
【特許文献１】特開平６−１８０３７９号公報
【発明の概要】
【発明が解決しようとする課題】
【０００４】
しかしながら、特許文献１の消費カロリー計算装置では、目盛の読み方に慣れが必要であり、誰でも簡単に測定値を把握することが難しかった。また、このようなウェアラブル機器では、活動結果の推移を知りたいことが度々あるが、簡単に履歴を確認することが困難であった。したがって、ユーザーである装着者（被験者）の運動などの活動を計測した消費カロリーを含む計測結果やその推移を簡単に確認することが可能なウェアラブル機器が望まれていた。
【課題を解決するための手段】
【０００５】
本発明は、上述の課題の少なくとも一部を解決するためになされたものであり、以下の形態または適用例として実現することが可能である。
【０００６】
［適用例１］本適用例に係るウェアラブル機器は、ユーザーの活動を計測する少なくとも一つのセンサーと、前記センサーで測定されたデータに基づいて、複数の時点における活動情報を導出する処理部と、前記活動情報を表示する表示部と、前記表示部の周縁に沿って配置され、前記ユーザーの操作に対応した操作信号を出力するベゼル部と、を備え、前記処理部は、前記操作信号に基づいて、前記複数の時点から選択された選択時点に対応する前記活動情報を前記表示部に表示させることを特徴とする。
【０００７】
本適用例に係るウェアラブル機器によれば、センサーによって計測されたユーザーの活動のデータに基づいて導出された複数の時点の活動情報を、ユーザーのベゼル部の操作に対応した操作信号に基づいて、複数の時点から選択された選択時点に対応する活動情報として表示部に表示させることから、ユーザーは、複数の時点から選択された選択時点に対応する活動情報を容易に知ることができる。換言すれば、ユーザーは、ベゼル部の操作によって、所望の時点（選択時点）に対応した活動情報の履歴を容易に確認することが可能となる。
【０００８】
［適用例２］本適用例に係るウェアラブル機器は、ユーザーの活動を計測する少なくとも一つのセンサーと、前記センサーで測定されたデータに基づいて、複数の時点における活動情報を導出する処理部と、前記活動情報を表示する表示部と、前記ユーザーの操作に対応した操作信号を出力するタッチセンサーと、を備え、前記処理部は、前記操作信号に基づいて、前記複数の時点から選択された選択時点に対応する前記活動情報を前記表示部に表示させることを特徴とする。
【０００９】
本適用例に係るウェアラブル機器によれば、センサーによって計測されたユーザーの活動のデータに基づいて導出された複数の時点の活動情報を、ユーザーのタッチセンサーの操作に対応した操作信号に基づいて、複数の時点から選択された選択時点に対応する活動情報として表示部に表示させることから、ユーザーは、複数の時点から選択された選択時点に対応する活動情報を容易に知ることができる。換言すれば、ユーザーは、タッチセンサーの操作によって、所望の時点（選択時点）に対応した活動情報の履歴を容易に確認することが可能となる。
【００１０】
［適用例３］上記適用例に記載のウェアラブル機器において、前記ユーザーの活動の目標情報を取得する取得部を備え、前記処理部は、前記操作信号に基づいて、前記複数の時点から選択された選択時点に対応する前記活動情報と前記目標情報とを用いて進捗情報を算出し、前記進捗情報を前記表示部に表示させることが好ましい。
【００１１】
本適用例によれば、操作信号に基づいて複数の時点から選択された選択時点に対応する活動情報と目標情報とを用いて算出された目標に対する進捗情報を、ユーザーは表示部から容易に確認することができる。
【００１２】
［適用例４］上記適用例に記載のウェアラブル機器において、前記表示部は、第１の領域と、前記第１の領域とは異なる第２の領域と、を有し、前記処理部は、前記活動情報を前記第１の領域に表示させ、前記進捗情報または前記選択時点に対応する前記活動情報の少なくとも一つを前記第２の領域に表示させることが好ましい。
【００１３】
本適用例によれば、活動情報の表示領域と、進捗情報または選択時点の少なくとも一つの表示領域とを異ならせることにより、表示の視認性を高めることができる。また、第１の領域と第２の領域との表示態様を変えることができる。これらにより、ユーザーは、例えば運動中などでも容易に表示内容を確認することができる。
【００１４】
［適用例５］上記適用例に記載のウェアラブル機器において、前記複数の時点は、前記ユーザーの活動におけるラップに対応していることが好ましい。
【００１５】
本適用例によれば、複数の時点がユーザーの活動におけるラップに対応していることから、ユーザーは、ラップに対応する活動情報を容易に知ることができる。換言すれば、ユーザーは、ベゼル部の操作によって、所望のラップに対応した活動情報の履歴を容易に確認することが可能となる。
【００１６】
［適用例６］上記適用例に記載のウェアラブル機器において、前記処理部は、前記選択時点における前記目標情報と前記活動情報とを比較した比較情報を算出し、前記比較情報を前記表示部に表示させることが好ましい。
【００１７】
本適用例によれば、ユーザーは、選択時点における目標情報と活動情報とを比較した比較情報を表示部の表示から容易に確認することができる。換言すれば、ユーザーは、選択時点における自身の活動の状況、つまり各選択時間において目標と比較しながら自身の活動の優劣、進捗の度合いなどを確認することができる。
【００１８】
［適用例７］上記適用例に記載のウェアラブル機器において、前記処理部は、前記活動情報に対して注記を付与し、前記注記と関連付けられた前記活動情報を前記表示部の前記第１の領域に表示させることが好ましい。
【００１９】
本適用例によれば、注記の付与された活動情報（注記と関連付けられた活動情報）を選択的に表示部の第１の領域に表示することができるため、より知りたい情報や重要な情報を得ることができる。
【００２０】
［適用例８］上記適用例に記載のウェアラブル機器において、前記複数の時点は、第１の時点と、前記第１の時点の後刻である第２の時点とを含み、前記ベゼル部が第１の方向に回転された場合に前記選択時点は前記第２の時点から前記第１の時点へ移動し、前記ベゼル部が前記第１の方向と反対方向の第２の方向に回転された場合に前記選択時点は前記第１の時点から前記第２の時点へ移動することが好ましい。
【００２１】
本適用例によれば、ベゼル部の回転方向に基づいて、容易に選択時点の選択方法を変えることができる。つまり、ベゼル部が第１の方向に回転された場合には、選択時点は第２の時点から第１の時点へ移動し、これに対しベゼル部が第２の方向に回転された場合には、選択時点は第１の時点から第２の時点へ移動するように時点を選択することができる。
【００２２】
［適用例９］本適用例に係る表示方法は、センサーによって計測されたユーザーの活動に係るデータに基づいて、複数の時点における活動情報を導出し、ベゼル部の回転操作に対応して出力された操作信号に基づいて、前記複数の時点から選択された選択時点に対応する前記活動情報を表示部に表示することを特徴とする。
【００２３】
本適用例に係る表示方法によれば、センサーによって計測されたユーザーの活動に係るデータに基づいて導出された複数の時点の活動情報を、ユーザーのベゼル部の操作に対応した操作信号に基づいて、複数の時点から選択された選択時点に対応する活動情報として表示部に表示させる。このように容易な方法により、ユーザーは、複数の時点から選択された選択時点に対応する活動情報を容易に知ることができる。また、ユーザーは、ベゼル部の操作によって、所望の時点（選択時点）に対応した活動情報の履歴を容易に確認することが可能となる。
【００２４】
［適用例１０］本適用例に係る表示方法は、センサーによって計測されたユーザーの活動に係るデータに基づいて、複数の時点における活動情報を導出し、タッチセンサーの操作に対応して出力された操作信号に基づいて、前記複数の時点から選択された選択時点に対応する前記活動情報を表示部に表示することを特徴とする。
【００２５】
本適用例に係る表示方法によれば、センサーによって計測されたユーザーの活動に係るデータに基づいて導出された複数の時点の活動情報を、ユーザーのタッチセンサーの操作に対応した操作信号に基づいて、複数の時点から選択された選択時点に対応する活動情報として表示部に表示させる。このように容易な方法により、ユーザーは、複数の時点から選択された選択時点に対応する活動情報を容易に知ることができる。また、ユーザーは、タッチセンサーの操作によって、所望の時点（選択時点）に対応した活動情報の履歴を容易に確認することが可能となる。
【図面の簡単な説明】
【００２６】
【図１】運動支援システムの概要を示す概略構成図。
【図２】運動支援システムに用いられるウェアラブル機器の概略構成を示す外観図。
【図３】ウェアラブル機器の装着例を示す外観図。
【図４】第１実施形態に係るウェアラブル機器の機器本体の構成を示す断面図。
【図５】図４に示すＱ部を拡大した断面図。
【図６】第１実施形態に係るウェアラブル機器の機能構成例を示すブロック図。
【図７】回転ベゼルの回転を検出する光学パターンの構成を示す平面図。
【図８】光学パターンを読み取ったときの検出信号を模式的に示す図。
【図９】第１実施形態に係るウェアラブル機器の表示方法を示すフローチャート。
【図１０】第１実施形態に係るウェアラブル機器の表示手順１を示す平面図。
【図１１】第１実施形態に係るウェアラブル機器の表示手順２を示す平面図。
【図１２Ａ】回転ベゼルの操作による表示例１を示す平面図。
【図１２Ｂ】回転ベゼルの操作による表示例１を示す平面図。
【図１２Ｃ】回転ベゼルの操作による表示例１を示す平面図。
【図１３Ａ】回転ベゼルの操作による表示例２を示す平面図。
【図１３Ｂ】回転ベゼルの操作による表示例２を示す平面図。
【図１３Ｃ】回転ベゼルの操作による表示例２を示す平面図。
【図１４Ａ】回転ベゼルの操作による表示例３を示す平面図。
【図１４Ｂ】回転ベゼルの操作による表示例３を示す平面図。
【図１４Ｃ】回転ベゼルの操作による表示例３を示す平面図。
【図１５】第２実施形態に係るウェアラブル機器の機器本体の構成を示す平面図。
【図１６】第２実施形態に係るウェアラブル機器の機器本体の構成を示す断面図。
【図１７】第２実施形態に係るウェアラブル機器の機能構成例を示すブロック図。
【図１８】第２実施形態に係るウェアラブル機器の表示方法を示すフローチャート。
【図１９】表示方法の変形例を示す平面図。
【発明を実施するための形態】
【００２７】
以下、本発明に係る運動支援システム（運動支援装置）、運動支援方法、および運動支援プログラムの実施形態について説明する。なお、以下に説明する実施形態は、特許請求の範囲に記載された本発明の内容を不当に限定するものではない。また、各実施形態で説明される構成の全てが、本発明の必須構成要件であるとは限らない。
【００２８】
１．本実施形態の手法
先ず、本発明に係る運動支援システムの実施形態について説明する。以下では、運動支援システムに用いられる検出装置として、例えばユーザーの手首に装着され、生体センサー、体動センサー、位置センサーなどを備えたウェアラブル機器を例示して説明する。
【００２９】
なお、本明細書におけるウェアラブル機器は、手首に装着されるウェアラブル機器を例にとって説明するが、各実施形態に係るウェアラブル機器は、頸部や足首等、ユーザーの他の部位に装着されてもよい。また、各実施形態の運動支援装置、および運動支援システムは、光電センサー以外の生体センサーを含んでもよい。
【００３０】
２．運動支援システム
次に、図１、図２、および図３を参照して、本発明の運動支援システムの構成について説明する。図１は、運動支援システムの概要を示す概略構成図である。図２は、運動支援システムに用いられるウェアラブル機器の概略構成を示す外観図である。図３は、ウェアラブル機器の装着例を示す外観図である。
【００３１】
本実施形態に係る運動支援システム１０００は、図１に示すように、ウェアラブル機器１００と、運動支援装置としての携帯端末装置６００と、携帯端末装置６００とネットワークＮＥを介して接続される情報処理装置７００と、を含む。
【００３２】
携帯端末装置６００は、例えばスマートフォンやタブレット型の端末装置などで構成することができる。携帯端末装置６００は、ウェアラブル機器１００と近距離無線通信や有線通信（不図示）等によって接続されている。携帯端末装置６００は、ネットワークＮＥを介してＰＣ（Personal Computer）やサーバーシステム等の情報処理装置７００と接続されることができる。ここでのネットワークＮＥは、ＷＡＮ（Wide Area Network）、ＬＡＮ（Local Area Network）、近距離無線通信等、種々のネットワークを利用できる。この場合、情報処理装置７００は、ネットワークＮＥを介してウェアラブル機器１００で計測された脈波情報、体動情報、位置情報などを受信し、記憶する処理記憶部として実現される。
【００３３】
なお、ウェアラブル機器１００は、携帯端末装置６００との通信が可能であればよく、直接的にネットワークＮＥに接続する必要がない。よって、ウェアラブル機器１００の構成を簡略化することが可能になる。ただし、運動支援システム１０００において、携帯端末装置６００を省略し、ウェアラブル機器１００と情報処理装置７００とを直接接続する変形実施も可能である。このような構成の場合、ウェアラブル機器１００の計測情報を情報処理装置７００へ直接送信し、情報処理装置７００における解析結果を受信することができるので、利用者の利便性を向上させることができる。
【００３４】
また、運動支援システム１０００は、情報処理装置７００により実現されるものには限定されない。例えば、運動支援システム１０００は、携帯端末装置６００により実現されてもよい。例えばスマートフォン等の携帯端末装置６００は、サーバーシステムに比べれば処理性能や記憶領域、バッテリー容量に制約があることが多いが、近年の性能向上を考慮すれば、十分な処理性能等を確保可能となることも考えられる。よって、処理性能等の要求が満たされるのであれば、携帯端末装置６００を本実施形態に係る運動支援システム１０００とすることが可能である。
【００３５】
また、運動支援システム１０００は、１つの装置により実現するものには限定されない。例えば、運動支援システム１０００は、ウェアラブル機器１００、携帯端末装置６００、および情報処理装置７００のうちの２以上の装置を含んでもよい。この場合、運動支援システム１０００で実行される処理は、いずれか１つの機器において実行されてもよいし、複数の機器で分散処理されてもよい。また、本実施形態に係る運動支援システム１０００が、検出装置としてのウェアラブル機器１００、運動支援装置としての携帯端末装置６００、情報処理装置７００とは異なる機器を含むことも妨げられない。
【００３６】
さらに、端末性能の向上、あるいは利用形態等を考慮した場合、ウェアラブル機器１００により、本実施形態に係る運動支援システム１０００（携帯端末装置６００）を実現する実施形態とすることができる。
【００３７】
また、本実施形態に係る運動支援システム１０００の各部の処理をプログラムにより実現することも可能である。すなわち、本実施形態の手法は、ユーザーの運動において、各種のセンサーによって計測されたユーザーの活動のデータから導出された複数の時点の活動情報やユーザーによって入力された当該運動の目標などに基づいて種々の解析を行ったり、その結果を表示したりする処理をコンピューターに実行させるプログラムに適用できる。
【００３８】
なお、活動情報とは、時刻情報と関連付けられた測定データあるいは活動データである。具体的には、移動距離、累積距離、移動時間、累積時間、移動速度、ピッチ（１分あたりの歩数）、歩数、ペースなどが挙げられる。また、活動情報は、所定期間にユーザーが実施した活動の統計値を時刻情報と関連付けた情報であってもよい。具体的には、単位距離（例えば１ｋｍ）あたりの所要時間であるラップタイム、１分あたりの歩数であるピッチ、ラップ区間（単位時間または単位距離）の平均速度や最大速度、ラップ区間の平均脈拍数や最大脈拍数などが挙げられる。
【００３９】
このプログラムでは、例えば、次のような演算や報知処理を行うことができる。より具体的には、本実施形態に係るプログラムは、後述する図９、および図１８に示す各ステップをコンピューターに実行させることができる。
１）ユーザーの入力した運動に係る活動情報の目標値を取得する。目標値としては、例えば、ワークアウトあたりの運動距離や運動時間、１週間、一か月あたりの運動距離や運動時間、測定の単位区間（例えば一周、一往復）の数であるラップ数、単位距離（例えば１ｋｍ）あたりの所要時間であるラップタイム、１分あたりの歩数であるピッチ、一日あたりの歩数や消費カロリー、および睡眠時間などを含むことができる。
２）ユーザーの運動において、センサーによって計測されたユーザーの活動のデータから導出された複数の時点の活動情報を取得し、表示させたり記憶させたりする。なお、複数の時点は、ユーザーの活動におけるラップ数に対応していたり、経過時刻に対応していたり、もしくはレース期間中におけるワークアウトなどの特定の時点に対応していたりすることができる。
３）ユーザーの操作したベゼル部（回転ベゼル）やタッチパネルなどの出力信号に基づいて、複数の時点（例えば複数のラップ数）から選択された選択時点（特定のラップ数）に対応する活動情報を表示する。即ち、一連の運動が終了したとき、あるいは運動を一時的に中断したとき、例えば一つのレースが終了した後に、ユーザーの操作に基づいて選択したラップ数に対応する活動情報を記憶されている情報から抽出し、表示させることができる。
４）ユーザーの操作したベゼル部（回転ベゼル）やタッチパネルなどの出力信号に基づいて、複数の時点（例えば複数のラップ数）から選択された選択時点（特定のラップ数）に対応する活動情報とユーザーの入力した活動情報の目標値とを用いて進捗情報を算出し、表示する。
【００４０】
また、本実施形態の運動支援システム１０００は、情報（例えばプログラムや各種のデータ）を記憶するメモリーと、メモリーに記憶された情報に基づいて動作するプロセッサーを含む。プロセッサーは、例えば各部の機能が個別のハードウェアで実現されてもよいし、あるいは各部の機能が一体のハードウェアで実現されてもよい。プロセッサーは、例えばＣＰＵであってもよい。ただしプロセッサーはＣＰＵに限定されるものではなく、ＧＰＵ（Graphics Processing Unit）、あるいはＤＳＰ（Digital Signal Processor）等、各種のプロセッサーを用いることが可能である。またプロセッサーはＡＳＩＣによるハードウェア回路でもよい。メモリーは、例えばＳＲＡＭ（Static Random Access Memory）、ＤＲＡＭ（Dynamic Random Access Memory）などの半導体メモリーであってもよいし、レジスターであってもよいし、ハードディスク装置等の磁気記憶装置であってもよいし、光学ディスク装置等の光学式記憶装置であってもよい。例えば、メモリーはコンピューターにより読み取り可能な命令を格納しており、当該命令がプロセッサーにより実行されることで、運動支援システム１０００の各部の機能が実現されることになる。ここでの命令は、プログラムを構成する命令セットの命令でもよいし、プロセッサーのハードウェア回路に対して動作を指示する命令であってもよい。
【００４１】
ウェアラブル機器１００は、図２、および図３に示すように、ユーザーの体の所与の部位（例えば手首などの測定の対象物）に装着され、生体情報や体動情報等を検出する。ウェアラブル機器１００は、ケース部３０を含みユーザーの体に密着されて生体情報や体動情報等を検出する機器本体１８と、機器本体１８に取り付けられ機器本体１８をユーザーの体に装着するための一対のバンド部１０と、を有する。ケース部３０を含む機器本体１８には、表示部５０、および生体センサー部４０が設けられている。バンド部１０には、嵌合穴１２と尾錠１４とが設けられる。尾錠１４は、尾錠枠１５、および係止部（突起棒）１６から構成される。
【００４２】
なお、以下のウェアラブル機器１００の説明では、機器本体１８をユーザーに装着したとき、機器本体１８の測定の対象物（被検体）側に位置する側を「裏側、もしくは裏面側」、その反対側となる機器本体１８の表示面側を「表側、もしくは表面側」として説明する。また、測定される「対象物」を「被検体」ということがある。また、ウェアラブル機器１００のケース部３０を基準として座標系を設定し、表示部５０の表示面に交差する方向であって、表示部５０の表示面側を表面とした場合の裏面から表面へと向かう方向をＺ軸正方向としている。あるいは、生体センサー部４０から表示部５０に向かう方向、あるいは表示部５０の表示面の法線方向においてケース部３０から離れる方向をＺ軸正方向と定義してもよい。ウェアラブル機器１００が被検体に装着された状態では、上記Ｚ軸正方向とは、被検体からケース部３０へと向かう方向に相当する。また、Ｚ軸に直交する２軸をＸＹ軸とし、特にケース部３０に対してバンド部１０が取り付けられる方向をＹ軸に設定している。
【００４３】
図２は、嵌合穴１２と係止部１６を用いてバンド部１０が固定された状態であるウェアラブル機器１００を、バンド部１０側の方向（ケース部３０の面のうち装着状態において被検体側となる面側）である−Ｚ軸方向から見た斜視図である。ウェアラブル機器１００では、バンド部１０に複数の嵌合穴１２が設けられ、尾錠１４の係止部１６を、複数の嵌合穴１２のいずれかに挿入することでユーザーへの装着が行われる。複数の嵌合穴１２は、バンド部１０の長手方向に沿って設けられる。
【００４４】
図２では、生体センサー（脈波情報を取得する脈波センサー２２０（図４参照）、皮膚温度センサー、血圧センサー、血糖値センサー、ＳｐＯ2センサー、及び皮膚電位センサーなど）を想定し、ケース部３０のうち、ウェアラブル機器１００の装着時に被検体側となる面に生体センサー部４０が設けられる例を示した。ただし、生体センサー部４０が設けられる位置は図２の例示には限定されない。例えば生体センサー部４０は、ケース部３０の内部に設けられてもよい。
【００４５】
脈波センサー２２０としては、例えば光電センサーが用いられ、生体に対して照射された光の反射光または透過光を当該光電センサーで検出する手法等が考えられる。この手法では、血管内の血流量に応じて、照射された光の生体での吸収量、反射量が異なるため、光電センサーで検出したセンサー情報は血流量等に対応した信号となり、当該信号を解析することで拍動に関する情報を取得することができる。ただし、脈波センサー２２０は光電センサーに限定されず、心電計や超音波センサー等、他のセンサーを用いてもよい。また、体動センサーは、ユーザーの体動を検出するセンサーである。体動センサーとしては、加速度センサーや角速度センサー等を用いることが考えられるが、他のセンサーを用いてもよい。また、位置センサーは、ユーザーの位置情報や環境情報を検知するセンサーである。位置センサーとしては、ＧＰＳ（Global Positioning System）、方位センサー、気圧センサー、温度センサー等を用いることが考えられるが、他のセンサーを用いてもよい。
【００４６】
図３は、ユーザーが装着した状態でのウェアラブル機器１００を、表示部５０の設けられる側（Ｚ軸方向）から見た図である。図３に示すように、本実施形態に係るウェアラブル機器１００は通常の腕時計の文字盤に相当する位置、あるいは数字やアイコンを視認可能な位置に表示部５０を有する。ウェアラブル機器１００の装着状態では、ケース部３０のうちの第２ケース部材２２（図４参照）側が被検体に密着するとともに、表示部５０は、ユーザーによる視認が容易な位置となる。
【００４７】
３．ウェアラブル機器の実施形態
（第１実施形態）
次に、図４、図５、図６、図７、および図８を参照して、本発明の第１実施形態に係るウェアラブル機器の構成について詳細に説明する。図４は、第１実施形態に係るウェアラブル機器の機器本体の構成を示す断面図である。図５は、図４に示すＱ部を拡大した断面図である。図６は、第１実施形態に係るウェアラブル機器の機能構成例を示すブロック図である。図７は、回転ベゼルの回転を検出する光学パターンの構成を示す平面図である。図８は、光学パターンを読み取ったときの検出信号を模式的に示す図である。
【００４８】
ウェアラブル機器１００を構成する機器本体１８は、図４に示すように、表側に位置する第１ケース部材（トップケース）２１と裏側に位置する第２ケース部材（ボトムケース）２２とを含むケース部３０を有する。第２ケース部材２２は、機器本体１８をユーザーに装着したとき、測定の対象物の側に位置する。第１ケース部材２１は、第２ケース部材２２に対して、測定の対象物側と反対側（表側）に配置される。そして、第２ケース部材２２の裏面には、検出窓２２１が設けられ、検出窓２２１に対応する位置に生体センサー部４０が設けられている。
【００４９】
機器本体１８は、第１ケース部材２１と第２ケース部材２２とに加えて、モジュール基板３５と、モジュール基板３５に接続された生体センサー部４０と、回路基板６１と、パネル枠６２と、回路ケース６４と、表示部５０を構成する液晶ディスプレイ（以下、ＬＣＤ５０１）と、体動センサーの一例としての加速度センサー２３０と、電源部としての二次電池５１０と、ＧＰＳアンテナ２８０と、を含む。ただし、ウェアラブル機器１００の構成は図４に示す構成に限定されず、他の構成を追加することや一部の構成を省略することが可能である。
【００５０】
第１ケース部材２１は、胴部２１１とガラス板２１２を備えてもよい。第１ケース部材２１の胴部２１１の表側上部には、表側に向かって突出するリング状の壁部２１Ａと、内側に突出する突起部２１Ｂが設けられている。ガラス板２１２は、突起部２１Ｂの表側に搭載され、壁部２１Ａの内周面に接着部材２１５などを用いて接続固定されている。この場合、胴部２１１およびガラス板２１２は、内部構造を保護する外壁として用いられるとともに、ガラス板２１２を介して、ガラス板２１２の直下に設けられるＬＣＤ５０１等の表示部５０の表示をユーザーが閲覧可能な構成としてもよい。つまり本実施形態では、検出した生体情報や運動状態を表す活動情報、あるいは時刻情報等の種々の情報をＬＣＤ５０１を用いて表示し、当該表示を第１ケース部材２１側からユーザーに提示するものであってもよい。なお、本形態において、ＬＣＤ５０１は、突起部２１Ｂの裏側に当接するように配置されている。
【００５１】
ガラス板（風防ガラス）２１２の外縁部分には、ガラス板２１２とＬＣＤ５０１との間に設けられているリング部材としての見切り板２１４を配置することができる。なお、ここでは、ウェアラブル機器１００の天板部分をガラス板２１２により実現する例を示したが、ＬＣＤ５０１を閲覧可能な透明部材であり、ＬＣＤ５０１等のケース部３０の内部に含まれる構成を保護可能な程度の強度を有する部材であれば、透明のプラスチック等、ガラス以外の材料により天板部分を構成することが可能である。
【００５２】
第１ケース部材２１のガラス板２１２の外周側には、ガラス板２１２の外縁に沿って、換言すれば表示部５０の周縁に沿ってベゼル部としての回転ベゼル２１３が配置されている。回転ベゼル２１３は、ガラス板２１２を囲むリング状（円環状）の部材であり、第１ケース部材２１に対して摺動可能に配置され、これにより、ガラス板２１２の中心を略中心として回転することができる。回転ベゼル２１３は、例えばステンレス材や真鍮（黄銅）材の表面に、メッキ処理を施した材料で形成することができる。以下、図５を参照して回転ベゼル２１３の構成の詳細について説明する。
【００５３】
なお、本明細書における「ベゼル部」とは、所謂腕時計のベゼルの機能と操作信号を出力する機能部との総称として用いている。即ち、本明細書において、回転ベゼル２１３は、腕時計のベゼルの機能と、後述するようなベゼル部を操作（移動）することにより操作信号を出力する光学パターン４１、第１センサーユニット３７Ａ、および第２センサーユニット３７Ｂなどを含む機能部と、を併せた構成を示しており、回転操作部と呼んでも良い。
【００５４】
図５に示すように、第１ケース部材２１の表側の上部には、円周状に溝３４が設けられている。一方、回転ベゼル２１３の下面には、裏側に突出する突条４６が形成され、この突条４６が溝３４に摺動可能に嵌合されている。回転ベゼル２１３の側面と第１ケース部材２１とが接触する面には、Ｏリング４７が設けられ、回転ベゼル２１３と第１ケース部材２１との隙間から、水や光などがウェアラブル機器１００の内部へ侵入するのが防止されている。
【００５５】
回転ベゼル２１３の第１ケース部材２１に対向する面には、周状且つ有底の溝部が設けられており、その溝部の内に回転ベゼル２１３の回転を検出するための光学パターン４１が配設されている。第１ケース部材２１には、光学パターン４１に対向する位置に２つの孔５１Ａ，５１Ｂが設けられており、これらの孔５１Ａ，５１Ｂ内に第１センサーユニット３７Ａと、第２センサーユニット３７Ｂとがそれぞれ配置されている。なお、第１センサーユニット３７Ａおよび第２センサーユニット３７Ｂの構成は同様であるので、以下、孔５１Ａおよび孔５１Ａに配設される第１センサーユニット３７Ａを代表例として用いて説明する。
【００５６】
光学パターン４１に対向する孔５１Ａ内には、カバーガラス４２が配設されている。第１ケース部材２１とカバーガラス４２との間には、パッキン４３が配設されており、これによりカバーガラス４２の第１ケース部材２１の内部への水等の侵入が防止されるようになっている。
【００５７】
第１センサーユニット３７Ａは、カバーガラス４２に対して光学パターン４１の配置側と反対側に配設されている。第１センサーユニット３７Ａは、ＬＥＤ（Light Emitting Diode）４４と、フォトダイオード４５と、遮光板４４Ａと、基板４８とを備えている。ＬＥＤ４４は、光学パターン４１に向けて光を照射するものであり、フォトダイオード４５は、光学パターン４１における反射光を受光するものである。遮光板４４Ａは、ＬＥＤ４４からの光がフォトダイオード４５に直接受光されるのを防止するためのものであり、ＬＥＤ４４とフォトダイオード４５との間に配置される。基板４８は、フォトダイオード４５による受光量に応じて検出信号を生成し、後述する処理部３００（図６参照）に出力するものである。さらに、第１センサーユニット３７Ａの基板４８の裏側には、リード線４９が設けられており、このリード線４９により第１センサーユニット３７Ａと回路基板６１とが電気的に接続されている。
【００５８】
この構成において、第１センサーユニット３７Ａおよび第２センサーユニット３７Ｂの各々が出力する検出信号に基づいて回転ベゼル２１３の回転量（即ち、回転角度）および回転方向（必要に応じて回転速度）が検出される。以下、回転ベゼル２１３の回転検出の原理について図７および図８を参照して説明する。図７は光学パターン４１の構成を示し、図８は光学パターン４１を読み取ったときに第１センサーユニット３７Ａおよび第２センサーユニット３７Ｂの各々から出力される検出信号を模式的に示している。
【００５９】
図７に示すように、回転ベゼル２１３の下面の溝部に形成された光学パターン４１は、円状の軌道に沿って、ＬＥＤ４４（図５参照）の照射する光を吸収する吸収領域４１ａとＬＥＤ４４の光を反射する反射領域４１ｂとが交互に繰り返し並んだ構成となっている。ここで、吸収領域４１ａまたは反射領域４１ｂの中心から回転ベゼル２１３の回転中心Ｏに至る線分とその領域に隣接する反射領域４１ｂまたは吸収領域４１ａの中心から回転中心Ｏに至る線分とがなす角度はいずれもθ２である。即ち、上述した回転ベゼル２１３の回転を、３６０°をｎ分割（ｎは偶数）して検出する場合には、θ２＝３６０°／ｎとなる。この構成において、第１センサーユニット３７Ａは、ユーザーが回転ベゼル２１３を回転させたときに、図７に示す光学パターン４１の吸収領域４１ａと反射領域４１ｂとを交互に読み取ることで、図８に示すような略正弦波形を有する検出信号（以下、「第１検出信号Ａ」という）を出力する。また、第２センサーユニット３７Ｂも同様に、略正弦波形を有する検出信号（以下、「第２検出信号Ｂ」という）を出力する。
【００６０】
本第１実施形態において、角度θ１は、θ１＝θ２＋θ２／２となるように設定され、この角度θ１に従って第１センサーユニット３７Ａおよび第２センサーユニット３７Ｂが配置されている。これにより、回転ベゼル２１３がユーザーにより回転させられた場合には、第１センサーユニット３７Ａが生成する第１検出信号Ａと第２センサーユニット３７Ｂが生成する第２検出信号Ｂとの間に１／４周期の位相差が生じることになる。具体的には、図８に示すように、回転ベゼル２１３を時計回りに回転させた場合には、第２センサーユニット３７Ｂの生成する第２検出信号Ｂには、第１センサーユニット３７Ａの生成する第１検出信号Ａに対して１／４周期の位相進みが生じる。また、これとは逆に、回転ベゼル２１３を反時計回りに回転させた場合には、第２センサーユニット３７Ｂの生成する第２検出信号Ｂには、第１センサーユニット３７Ａの生成する第１検出信号Ａに対して１／４周期の位相遅れが生じることになる。従って、このような位相遅れ・位相進みを検知することによって回転ベゼル２１３の回転方向を検出することが可能となっている。
【００６１】
図４に示すように、第２ケース部材２２には、生体情報検出部が設けられ、脈波センサー２２０、血圧センサー、血糖値センサー、ＳｐＯ2センサー等を用いる場合、生体情報検出部には検出窓２２１、および土手部２２２が設けられる。そして、土手部２２２は、第２ケース部材２２から被検体に向かう方向に沿って隆起しており、検出窓２２１は、土手部２２２に設けられている。検出窓２２１に対応する位置に生体センサー部４０が設けられる。検出窓２２１においては、被検体に向かう方向に沿って隆起し、光が透過する構成となっており、脈波センサー２２０に含まれる発光部（不図示）から射出される光は、検出窓２２１を透過して被検体に対して照射される。また、被検体での反射光も検出窓２２１を透過し、脈波センサー２２０のうちの受光部（不図示）において受光される。つまり、検出窓２２１を設けることで、光電センサーを用いた生体情報の検出が可能になる。脈波センサー２２０は、モジュール基板３５に接続されている。なお、モジュール基板３５は、例えばフレキシブル基板６７などを用いて回路基板６１と電気的な接続がなされている。また、図示は省略するが、皮膚電位センサーや温度センサー等を用いる場合、ボトムケース２２の生体情報検出部には、測定用電極が配置される。
【００６２】
回路基板６１には、一方の面にＬＣＤ５０１等の表示パネルを案内するパネル枠６２が配置され、他方の面に二次電池５１０などを案内する回路ケース６４が配置されている。回路基板６１には、脈波センサー２２０を駆動し脈拍を測定する回路、加速度センサー２３０を駆動し体動を検出する回路、ＧＰＳアンテナ２８０からの衛星信号を処理して位置情報を生成する回路、ＬＣＤ５０１を駆動する回路、各回路を制御する回路などを構成する素子が実装されている。回路基板６１は、ＬＣＤ５０１の電極と図示しないコネクターを介して導通されている。そして、ＬＣＤ５０１では、各モードに応じて脈拍数などの脈拍測定データ、運動などの活動情報、現在時刻などの時刻情報などが表示される。
【００６３】
ケース部３０には、電源部として充電可能な二次電池５１０（リチウム二次電池）が格納されている。二次電池５１０は、両極の端子が接続基板６８などによって回路基板６１に接続され、電源を制御する回路へ電源を供給する。電源は、この回路で所定の電圧に変換されるなどして各回路へ供給され、脈波センサー２２０を駆動し脈拍を検出する回路、加速度センサー２３０を駆動し体動を検出する回路、ＧＰＳアンテナ２８０からの衛星信号を処理して位置情報を生成する回路、ＬＣＤ５０１を駆動する回路、各回路を制御する回路などを動作させる。二次電池５１０の充電は、コイルばねなどの導通部材（不図示）により回路基板６１と導通された一対の充電端子を介して行われる。なお、ここでは電池として二次電池５１０を用いる例を説明したが、電池には、充電が不要な一次電池を用いてもよい。
【００６４】
また、図４に示したように、検出窓２２１は、第１ケース部材２１と第２ケース部材２２との接続部に設けられる密封部５１まで延在形成されていてもよい。ここで、密封部５１は、ケース部３０の内部を外部から密閉するパッキン５２が設けられているものであってもよい。パッキン５２は、第１ケース部材２１と第２ケース部材２２との接続部に設けられ、ケース部３０の内部を外部から密閉するものである。
【００６５】
また、ウェアラブル機器１００は、その機能構成の一例として、図６に示されているように、センサー部２００、回転ベゼル２１３、ＧＰＳアンテナ２８０、処理部３００、入力部３９０、報知部４００、電源部としての二次電池５１０、記憶部５２０、ボタン５３０、および通信部５４０を含んでいる。
【００６６】
センサー部２００は、ユーザーの活動に係る情報を取得したり、計測したりする種々のセンサーを含み構成されている。本形態のセンサー部２００は、ＧＰＳ２１０、脈波センサー２２０、加速度センサー２３０、方位センサー２４０、気圧センサー２５０、および温度センサー２６０を含んでいる。なお、センサー部２００は、皮膚温度センサー、血圧センサー、血糖値センサー、ＳｐＯ2センサー、および皮膚電位センサーなどを含むことができる。
【００６７】
ＧＰＳ２１０は、ＧＰＳアンテナ２８０に接続され、ＧＰＳアンテナ２８０が受信した複数の衛星信号に基づいて測位計算を行い、ユーザーの位置情報や移動情報として取得することができる。
【００６８】
脈波センサー２２０は、ユーザーの脈波等を検出する。脈波センサー２２０は、例えば光電センサーで構成され、脈波センサー２２０から射出される光が被検体（測定の対象物）に対して照射され、その反射光を受光することによって脈波情報を検出することができる。脈波センサー２２０は、検出された信号を、脈波検出信号もしくは脈拍検出信号として出力することができる。
【００６９】
加速度センサー２３０および方位センサー２４０は、ユーザーの体の動きに係る情報の検出、即ち体動情報を検出することができる。加速度センサー２３０および方位センサー２４０は、ユーザーの体動を検知し、その体動に応じて変化する信号である体動検出信号を出力する。
【００７０】
気圧センサー２５０は、ユーザーの現在位置における気圧を検出することができる。気圧センサー２５０は、現在位置における気圧を測定し、気圧データとして出力する。気圧センサー２５０が取得した気圧データは、天候に係る変化の予測に用いたり、ユーザーの現在位置の高度（標高）情報の取得に用いたりすることができる。気圧センサー２５０を備えることにより、ユーザーの居る場所の高度情報（標高情報）を提示できることから、例えば登山者向けやハイカー向けに好適な装置として提供することができる。
【００７１】
温度センサー２６０は、ユーザーの現在位置における温度（気温）を検出することができる。温度センサー２６０は、現在位置における温度（気温）を測定し、温度データとして出力する。温度センサー２６０が取得した温度（気温）データは、天候に係る変化の予測に用いたり、温度変化（気温変化）の予測に用いたりすることができる。
【００７２】
回転ベゼル２１３は、腕時計のベゼルの機能と、ベゼルを操作（移動）することにより操作信号を出力する機能部と、を有している。回転ベゼル２１３は、ユーザーによるベゼルの操作に対応した操作信号を出力する。そして、ユーザーが回転ベゼル２１３を操作することによって出力される操作信号に基づいて、処理部３００は、表示部５０に表示する表示態様を変化させることができる。なお、本実施形態では、回転ベゼル２１３の操作信号を出力する機能部の構成として、光学パターン４１、第１センサーユニット３７Ａ、および第２センサーユニット３７Ｂなどを含む光検出型の検出方式を例示したがこれに限らず、例えば、対向する２部位の容量変化を検出して操作信号を出力する容量検出型の検出方式など他の構成を用いてもよい。
【００７３】
処理部３００は、例えば記憶部５２０をワーク領域として、各種の信号処理や制御処理を行うものであり、例えばＣＰＵ等のプロセッサーあるいはＡＳＩＣなどの論理回路により実現できる。処理部３００は、取得部３１０、データ処理部３２０、報知処理部３３０、および記憶処理部３４０を含む。処理部３００は、ＧＰＳ２１０、脈波センサー２２０、加速度センサー２３０、方位センサー２４０、気圧センサー２５０、および温度センサー２６０などから出力された各種のデータを処理し、ユーザーの活動情報として算出したり記憶させたりする。また、処理部３００は、ユーザーが回転ベゼル２１３を操作することによって出力される操作信号に基づいて、活動した複数の時点から選択された選択時点に係る活動情報を表示部５０に表示させることができる。
【００７４】
また、処理部３００は、算出した活動情報に対して注記を付与し、付与した注記と関連付けられた活動情報を、後述する表示部５０の第１の領域ＡＲ１（図１０参照）に表示させることができる。このような表示とすれば、注記の付与された活動情報（注記と関連付けられた活動情報）を選択的に表示部５０に表示することができるため、より知りたい情報や重要な情報を得ることができる。
【００７５】
取得部３１０は、ユーザーが入力部３９０やボタン５３０などから入力する活動（運動）の目標情報、例えば出場するレースにおいて設定するラップタイムの目標などの目標情報を取得する。
【００７６】
データ処理部３２０は、ＧＰＳ２１０、脈波センサー２２０、加速度センサー２３０、方位センサー２４０、気圧センサー２５０、および温度センサー２６０などから出力された各種のデータを処理し、複数の時点におけるユーザーの活動情報として算出する。また、データ処理部３２０は、ユーザーの操作した回転ベゼル２１３の出力信号に基づいて、複数の時点（例えば複数のラップ数）から選択された選択時点（特定のラップ数）に対応する活動情報とユーザーの入力した活動情報の目標値とを用いて進捗情報を算出する。この進捗情報には、活動情報と活動情報の目標値との比較情報を含むことができる。また、データ処理部３２０は、算出した複数の時点における活動情報を記憶部５２０に保存したり記憶部５２０から読み出したり、報知処理部３３０によって表示データなどの報知データとしたりすることができる。
【００７７】
報知処理部３３０は、データ処理部３２０によって算出された複数の時点におけるユーザーの活動情報や、ユーザーの操作した回転ベゼル２１３の出力信号に基づいて、複数の時点（例えば複数のラップ数）から選択された選択時点（特定のラップ数）に対応する活動情報や進捗情報を、表示データや振動データなどの報知データとして生成したり、報知部４００への報知指示などの制御処理を行う。
【００７８】
記憶処理部３４０は、データ処理部３２０によって算出された複数の時点におけるユーザーの活動情報や進捗情報などのデータを記憶部５２０に保存（記憶）する処理を行う。また、記憶処理部３４０は、データ処理部３２０の指示に基づいて、記憶部５２０に保存（記憶）されている活動情報や進捗情報などのデータを読み出し、データ処理部３２０に送信する処理を行う。
【００７９】
入力部３９０は、活動（運動）の目標情報、例えば出場するレースにおいて設定するラップタイムの目標などの目標情報を入力することができる。なお、入力部３９０は、他の機器と接続される入力端子とすることができる。
【００８０】
報知部４００は、報知処理部３３０の制御により、ユーザーに各種の情報を報知する。報知部４００は、画像表示を行う、例えば液晶ディスプレイによる表示部５０を備えている。報知部４００は、例えば報知処理部３３０からのデータ信号に基づいて表示部５０に、ユーザーの活動情報を画像表示する。なお、報知部４００は、他の報知方法として、振動モーター（バイブレーター）４２０などを用いた振動、もしくはＬＥＤなどを用いた報知用の発光体（不図示）などを備えることができる。振動モーター４２０では、振動の強弱や長さなどによって、報知用の発光体では、発光体の点灯、点滅などによって、各種の情報をユーザーに報知することができる。なお、これらの情報は、画像表示のみで行ってもよいし、振動、および報知用の発光の少なくとも一方と組み合わせて報知してもよい。
【００８１】
電源部としての充電が可能な二次電池５１０は、電源を制御する回路で所定の電圧に変換されるなどして各回路へ電源を供給する。この電源により、例えば脈波センサー２２０を駆動し脈拍を検出する回路や各回路を制御する回路などの各回路を動作させることができる。
【００８２】
記憶部５２０は、データ処理部３２０で算出された複数の時点におけるユーザーの活動情報、もしくはユーザーの操作した回転ベゼル２１３の出力信号に基づいて複数の時点（例えば複数のラップ数）から選択された選択時点（特定のラップ数）に対応する活動情報や進捗情報を記憶する。また、記憶部５２０は、本実施形態に係る運動支援システム１０００の一連の処理をコンピューターに実行させるプログラムを記憶する。メモリーは、例えばＳＲＡＭ（Static Random Access Memory）、ＤＲＡＭ（Dynamic Random Access Memory）などの半導体メモリー、ハードディスク装置等の磁気記憶装置、光学ディスク装置等の光学式記憶装置で構成することができる。
【００８３】
ボタン５３０は、機器本体１８の側面に配設されることができ、例えば表示部５０に表示される表示モードを切り替えたり、計時表示の開始や停止もしくは時刻修正などを行ったりすることができる。
【００８４】
通信部５４０は、報知処理部３３０によって制御処理された報知信号を、他の端末機器などに設けられた報知機能部に送信するための通信処理を行う。この場合、ネットワークＮＥを用いずに、例えばＢｌｕｅｔｏｏｔｈ（登録商標）（ブルートゥース）などの規格にしたがった無線通信の処理を行うことができる。ここで送信される報知信号は、画像信号、振動信号、もしくは発光信号などとすることができる。また、通信部５４０は、図１に示すネットワークＮＥを介してＰＣやサーバーシステム等の情報処理装置７００と接続することができる。
【００８５】
（第１実施形態に係るウェアラブル機器の表示方法）
次に、第１実施形態に係るウェアラブル機器１００の表示方法を、図９、図１０、図１１、図１２Ａ〜図１２Ｃ、図１３Ａ〜図１３Ｃ、および図１４Ａ〜図１４Ｃを参照して説明する。図９は、第１実施形態に係るウェアラブル機器の表示方法を示すフローチャートである。図１０は、第１実施形態に係るウェアラブル機器の表示手順１を示す平面図であり、図１１は、第１実施形態に係るウェアラブル機器の表示手順２を示す平面図である。図１２Ａ、図１２Ｂ、図１２Ｃは、回転ベゼルの操作による表示例１を示す平面図である。図１３Ａ、図１３Ｂ、図１３Ｃは、回転ベゼルの操作による表示例２を示す平面図である。図１４Ａ、図１４Ｂ、図１４Ｃは、回転ベゼルの操作による表示例３を示す平面図である。
【００８６】
以下、第１実施形態に係るウェアラブル機器１００の表示方法を、図９に沿って説明する。ウェアラブル機器１００の表示方法は、目標情報を入力するステップＳ１１０と、活動を計測するステップＳ１１２と、活動情報を導出するステップＳ１１４と、活動情報を表示および記憶するステップＳ１１６と、回転ベゼル２１３の操作を確認するステップＳ１１８と、回転ベゼルの操作方向を確認するステップＳ１２０と、選択された時点の活動情報を表示するステップＳ１２２，Ｓ１２４と、を含んでいる。以下、各手順をステップ毎に説明する。なお、以下の手順の説明では、上述した運動支援システム１０００の構成の説明に用いた符号と同じ符号を適用して説明する。
【００８７】
先ず、ユーザーは、活動（運動）の準備情報として、ウェアラブル機器１００の入力部３９０（図６参照）から、活動（運動）の目標情報、例えば出場するレースにおいて自身が設定する目標ラップタイムなどの目標情報を入力する（ステップＳ１１０）。なお、このステップは、目標との比較では無くレース履歴の確認を目的とする場合には、省略することができる。
【００８８】
次に、ユーザーは、活動（運動）を開始する。そして、ウェアラブル機器１００に配設されている各センサーは、それぞれの機能に応じて計測や検知を行う（ステップＳ１１２）。各センサーによって計測されたり検知されたりしたセンシングデータは、処理部３００に出力される。処理部３００は、データ処理部３２０によって入力した各データを処理し、複数の時点におけるユーザーの活動情報として導出する（ステップＳ１１４）。なお、ステップＳ１１２、およびステップＳ１１４における処理は、ユーザーによる指示がない限り、一連の活動（運動）の終了する時点まで継続して行われる。
【００８９】
ここで、処理部３００は、導出した複数の時点におけるユーザーの活動情報やデータを、報知処理部３３０の制御により順次表示部５０に表示すると共に、記憶処理部３４０の制御により順次記憶部５２０に保存（記憶）する（ステップＳ１１６）。
【００９０】
このときの表示態様の一例について、図１０および図１１を参照して説明する。ここで図１０は、ウェアラブル機器１００の表示部５０に表示される複数の時点におけるユーザーの活動情報の内の、ラップ４の時点での進捗情報の表示例を示している。また、図１１は、一連の活動（運動）が終了した時点、例えば出場したレースが終了（フィニッシュ）した時点での表示部５０に表示される表示例を示している。なお、図１０および図１１に示す例では、１レースにおけるラップの数が２０（ラップ数２０）であった場合のレースを示している。
【００９１】
図１０および図１１に示すように、ウェアラブル機器１００の表示部５０は、図中に示す破線ＡＬで分割された中央部側の第１の領域ＡＲ１と、破線ＡＬよりも外周側（回転ベゼル２１３側）の第２の領域ＡＲ２とを有している。そして、第１の領域ＡＲ１には、その時点でのユーザーの活動情報（進捗情報）が順次表示される。本例では、上部に、その時点のラップ数が表示され、中央部に、その時点におけるラップタイムが表示され、下部にその時点における平均脈拍数が表示されている。また、第２の領域ＡＲ２には、その時点を視覚的に表示するリング状のインジケーターが表示される。
【００９２】
図１０には、表示する時点として選択された「ラップ４」の時点の活動情報（進捗情報）の表示が例示されている。本例では、上部に、その時点のラップ数Ｌｐ１として「Ｌａｐ４」が表示され、中央部に、「ラップ４」の時点におけるラップタイムＬｔ１として「０２：４７（２分４７秒）」が表示され、下部に「ラップ４」の時点における平均脈拍数Ｐｕ１として「１０４ｂｐｍ」が表示されている。また、第２の領域ＡＲ２には、その時点を視覚的に表示するリング状のインジケーターが表示される。本例では、表示されている選択時点である「ラップ４」を示すように、１周（３６０°）をラップ４／ラップ２０した角度まで伸びた指示ラインＩｎ１が示されている。なお、表示する時点は、活動が進むに連れて、例えば「ラップ４」の次に「ラップ５」、「ラップ５」の次に「ラップ６」のように順次カウントアップされて表示される。このように、表示される複数の時点は、ユーザーの活動におけるラップ数に対応している。
【００９３】
図１１には、表示する時点として選択された一連の活動（運動）が終了した時点、例えば出場したレースが終了（フィニッシュ）した時点の活動情報の表示が例示されている。本例では、上部に、終了時点のラップ数ＬｐＦとして「Ｌａｐ２０」が表示され、中央部に、「ラップ２０」の時点におけるラップタイムＬｔＦとして「０３：５７（３分５７秒）」が表示され、下部に「ラップ２０」の時点における平均脈拍数ＰｕＦとして「１２８ｂｐｍ」が表示されている。また、第２の領域ＡＲ２には、時点を視覚的に表示するリング状のインジケーターが表示され、本例では、終了時点の「ラップ２０」を示すように、周状に伸びた指示ラインＩｎＦが示されている。
【００９４】
このように活動情報の表示領域（第１の領域ＡＲ１）と、選択時点の表示領域（第２の領域ＡＲ２）とを異ならせることにより、表示の視認性を高めることができる。また、第１の領域ＡＲ１と第２の領域ＡＲ２との表示態様を変えることができる。これらにより、ユーザーは、例えば運動中などでも容易に表示内容を確認することができる。
【００９５】
また、活動情報に対して注記を付与し、付与した注記と関連付けられた活動情報を、表示部５０の第１の領域ＡＲ１に表示させてもよい。このような表示とすれば、注記の付与された活動情報（注記と関連付けられた活動情報）を表示部５０から視認することができ、知りたい情報や重要な情報を選択的に得ることができる。注記の付与としては、例えば、ユーザーのボタン操作に基づいて選択または入力された注記を付与しても良いし、処理部が活動情報に基づいて所定の注記を関連付けるように構成しても良い。注記としては、文章やコメントなどの文字情報や、アイコンや写真などの画像、音声あるいは数字などを用いることができる。
【００９６】
次に、図９のフローチャートに戻り、処理部３００は、ユーザーによって回転ベゼル２１３の回転操作が行われたか否かを判定する（ステップＳ１１８）。換言すれば、処理部３００は、回転ベゼル２１３の回転操作に対応して出力された操作信号が出力されたか否かを判定する。ステップＳ１１８において、回転ベゼル２１３の回転操作が行われたと判定された場合（ステップＳ１１８：Ｙｅｓ）、処理部３００は次のステップに進み、回転ベゼル２１３の回転方向が第１の方向か否かを判定する（ステップＳ１２０）。なお、ステップＳ１１８において、回転ベゼル２１３の回転操作が行われていないと判定された場合（ステップＳ１１８：Ｎｏ）は、前のステップＳ１１６に戻る。
【００９７】
ステップＳ１２０において、回転ベゼル２１３の回転方向が第１の方向であると判定された場合（ステップＳ１２０：Ｙｅｓ）、処理部３００は、選択時点を第１の時点の後刻である第２の時点から第１の時点へ移動するように選択し、選択された選択時点に係る活動情報、即ち活動情報の履歴情報の表示を行う（ステップＳ１２２）。
【００９８】
この場合（ステップＳ１２２）の表示を表示例１として、図１２Ａ〜図１２Ｃを参照して説明する。表示例１では、レースが開始（スタート）した時点をラップ１、第１の時点をラップ５、第２の時点をラップ１４、レースが終了（フィニッシュ）した時点をラップ２０とした例を示す。先ず図１２Ａには、一連の活動（運動）が終了した時点、例えば出場したレースが終了（フィニッシュ）した時点の活動情報の表示が例示されている。そして、図１２Ｂに示すように、ユーザーによって回転ベゼル２１３が回転方向を示す矢印ＹＪ１のように反時計回り（左回り）に回転するように所定の角度まで操作された場合は、レースが終了（フィニッシュ）した時点からレースが開始された時点に遡るように、例えば、ラップ２０、ラップ１９、ラップ１８・・・ラップ１４・・・ラップ５・・・ラップ１のように表示の選択時点が順次切り替わる。
【００９９】
換言すれば、レースが終了（フィニッシュ）した時点であるラップ２０から、スタート側に向かって活動情報を表示する選択時点が移動し、図１２Ｂに示すように第１の時点（ラップ５）よりも後刻となる第２の時点（ラップ１４）に対応した活動情報（履歴情報）を表示する。そして、図１２Ｃに示すような、次の回転ベゼル２１３の操作、詳細には、先の回転と同様な図中矢印ＹＪ２の方向である反時計回り（左回り）の回転操作によって、レースの開始（スタート）側に向かって表示の時点が移動し、先刻となる第１の時点（ラップ５）に対応した活動情報（履歴情報）の表示に切り替わる。このように、表示される複数の時点は、ユーザーの活動におけるラップ数に対応している。
【０１００】
上述のように、選択された複数の時点が。ユーザーの活動におけるラップ数に対応して表示されることから、ユーザーは、ラップ数に対応する活動情報を容易に知ることができる。換言すれば、ユーザーは、回転ベゼル２１３の操作によって、所望のラップ数に対応した活動情報の履歴を容易に確認することが可能となる。
【０１０１】
ステップＳ１２０において、回転ベゼル２１３の回転方向が第１の方向ではない、即ち第２の方向であると判定された場合（ステップＳ１２０：Ｎｏ）、処理部３００は、選択時点を第１の時点から、第１の時点の後刻である第２の時点へ移動するように選択し、選択された選択時点に係る活動情報の表示を行う（ステップＳ１２４）。
【０１０２】
この場合（ステップＳ１２４）の表示を表示例２として、図１３Ａ〜図１３Ｃを参照して説明する。表示例２では、表示例１と同様に、レースが開始（スタート）した時点をラップ１、第１の時点をラップ５、第２の時点をラップ１４、レースが終了（フィニッシュ）した時点をラップ２０とした例を示す。先ず図１３Ａには、一連の活動（運動）が終了した時点、例えば出場したレースが終了（フィニッシュ）した時点の活動情報の表示が例示されている。そして、図１３Ｂに示すように、ユーザーによって回転ベゼル２１３が回転方向を示す矢印ＹＪ３のように時計回り（右回り）に回転するように所定の角度まで操作された場合は、レースの開始（スタート）時点からレースの終了（フィニッシュ）した時点に向かってレースの進行を再現するように、例えば、ラップ１、ラップ２、ラップ３、ラップ４、ラップ５・・・ラップ１４・・・ラップ２０のように表示の選択時点が順次切り替わる。
【０１０３】
換言すれば、レースの開始（スタート）時点であるラップ１から、レースの終了（フィニッシュ）側に向かって活動情報を表示する選択時点が移動し、図１３Ｂに示すように第１の時点（ラップ５）に対応した活動情報を表示する。そして、図１３Ｃに示すような、次の回転ベゼル２１３の操作、詳細には、先の回転と同様な図中矢印ＹＪ４の方向である時計回り（右回り）の回転操作によって、レースの終了（フィニッシュ）側に向かって表示の時点が移動し、後刻となる第２の時点（ラップ１４）に対応した活動情報の表示に切り替わる。
【０１０４】
このように、回転ベゼル２１３の回転方向に基づいて、容易に選択時点の選択方法を変えることができる。つまり、回転ベゼル２１３が第１の方向に回転された場合には、選択時点は第２の時点から第１の時点へ移動し、これに対し回転ベゼル２１３が第１の方向と反対方向の第２の方向に回転された場合には、選択時点は第１の時点から第２の時点へ移動するように時点を選択することができる。
【０１０５】
なお、ステップＳ１２２およびステップＳ１２４においては、回転ベゼル２１３の操作方向によって、表示の時点の選択方向を、順送りとするか、もしくは逆送りとするか、が決まる。表示例１および表示例２では、それぞれ回転ベゼル２１３を同じ方向に回転させる例を示して説明したが、必ずしも同じ方向でなくてもよく、左回転および右回転を交互に行ったり、左回転および右回転を組み合わせて行ったりしてもよい。この場合も、回転ベゼル２１３の回転方向に連れて表示の時点の選択に係る方向が切り替わる。
【０１０６】
上述したようなウェアラブル機器１００、およびウェアラブル機器１００の表示方法によれば、ウェアラブル機器１００に配設されている各センサーによって計測されたユーザーの活動に係るデータに基づいて導出された複数の時点の活動情報を、ユーザーの回転ベゼル２１３の操作に対応した操作信号に基づいて、複数の時点から選択された選択時点に対応する活動情報として表示部５０に表示させる。このような方法により、ユーザーは、容易に複数の時点から選択された選択時点に対応する活動情報を容易に知ることができる。また、ユーザーは、回転ベゼル２１３の操作によって、所望の時点（選択時点）に対応した活動情報の履歴を容易に確認することが可能となる。
【０１０７】
また、ステップＳ１２２およびステップＳ１２４における表示例は、図１４Ａ〜図１４Ｃに示す表示例３のような表示態様とすることができる。表示例３では、上述の図１２Ａで例示した活動情報としての、ラップ数ＬｐＦ、ラップタイムＬｔＦ、および平均脈拍数ＰｕＦに加えて、図１４Ａに示すように、活動の地形を示す地図マークＭＫと、ラップ数ＬｐＦの時点における到達位置を地図マークＭＫ上に示す指示線としての最終到達位置（フィニッシュ位置）ＭＬＦとが示されている。以下、図１４Ａ〜図１４Ｃを参照して説明する。
【０１０８】
表示例３では、上述の表示例１と同様に、レースが開始（スタート）した時点をラップ１、第１の時点をラップ５、第２の時点をラップ１４、レースが終了（フィニッシュ）した時点をラップ２０とした例を示す。先ず図１４Ａには、一連の活動（運動）が終了した時点、例えば出場したレースが終了（フィニッシュ）した時点の活動情報の表示が例示されている。このとき、ユーザーの到達位置を地図マークＭＫ上に示す指示線は、フィニッシュ位置である最終到達位置（フィニッシュ位置）ＭＬＦとして表示されている。
【０１０９】
そして、図１４Ｂに示すように、ユーザーによって回転ベゼル２１３が回転方向を示す矢印ＹＪ１のように反時計回り（左回り）に回転するように所定の角度まで操作された場合は、レースが終了（フィニッシュ）した時点からレースが開始された時点に遡るように、例えば、ラップ２０、ラップ１９、ラップ１８・・・ラップ１４・・・ラップ５・・・ラップ１のように表示の選択時点が順次切り替わる。これに連れて、ユーザーの到達位置を地図マークＭＫ上に示す指示線も、図１４Ｂに示す位置ＭＬ１、図１４Ｃに示す位置ＭＬ２に順次切り替わる。
【０１１０】
換言すれば、レースが終了（フィニッシュ）した時点であるラップ２０から、スタート側に向かって活動情報を表示する選択時点が移動し、図１４Ｂに示すように第１の時点（ラップ５）よりも後刻となる第２の時点（ラップ１４）に対応した活動情報を表示する。そして、図１４Ｃに示すような、次の回転ベゼル２１３の操作、詳細には、先の回転と同様な図中矢印ＹＪ２の方向である反時計回り（左回り）の回転操作によって、レースの開始（スタート）側に向かって表示の時点が移動し、先刻となる第１の時点（ラップ５）に対応した活動情報の表示に切り替わる。なお、回転ベゼル２１３の回転方向は、逆方向の場合においても適用することができる。
【０１１１】
このように、地図マークＭＫ、および地図マークＭＫ上にユーザーの到達位置を示す指示線（最終到達位置ＭＬＦ、位置ＭＬ１，ＭＬ２）を示すことにより、ユーザーは、選択時点に対応する活動情報が、どのような地形を対象とした活動であったか、例えば下り坂を下りている間の活動であったか、上り坂を上ったときの活動であったかなどの状態を知ることができ、より的確な判断を行うことができる。
【０１１２】
（第２実施形態）
次に、図１５、図１６、および図１７を参照して、本発明の第２実施形態に係るウェアラブル機器の構成について詳細に説明する。図１５は、第２実施形態に係るウェアラブル機器の機器本体の構成を示す平面図である。図１６は、第２実施形態に係るウェアラブル機器の機器本体の構成を示す断面図である。図１７は、第２実施形態に係るウェアラブル機器の機能構成例を示すブロック図である。なお、第２実施形態に係る以下の説明では、上述の第１実施形態と異なる機器本体の形態や構成を中心に説明し、同様な形態や構成については同符号を付し、その説明は省略することがある。
【０１１３】
図１５および図１６に示すように、第２実施形態に係るウェアラブル機器１００Ａを構成する機器本体１８は、第１ケース部材２１と第２ケース部材２２とを含むケース部３０を有する。第２ケース部材２２は、機器本体１８をユーザーに装着したとき、測定の対象物の側に位置する。第１ケース部材２１は、第２ケース部材２２に対して、測定の対象物側と反対側（表側）に配置される。そして、第２ケース部材２２の裏面には、検出窓２２１が設けられ、検出窓２２１に対応する位置に生体センサー部４０が設けられている。
【０１１４】
機器本体１８は、第１ケース部材２１と第２ケース部材２２とに加えて、モジュール基板３５と、モジュール基板３５に接続された生体センサー部４０と、回路基板６１と、パネル枠６２と、回路ケース６４と、表示部５０を構成する液晶ディスプレイ（以下、ＬＣＤ５０１）と、体動センサーの一例としての加速度センサー２３０と、二次電池５１０と、ＧＰＳアンテナ２８０と、を含む。ただし、ウェアラブル機器１００Ａの構成は図１６に示す構成に限定されず、他の構成を追加することや一部の構成を省略することが可能である。なお、これらの構成要素については、前述した第１実施形態の構成要素と同様であるため、本形態における詳細な説明を省略する。
【０１１５】
第１ケース部材２１は、胴部２１１とガラス板２１２を備えてもよい。第１ケース部材２１の胴部２１１の表側上部には、表側に向かって突出するリング状の壁部２１Ａと、内側に突出する突起部２１Ｂが設けられている。ガラス板２１２は、突起部２１Ｂの表側に搭載され、壁部２１Ａの内周面に接着部材２１５などを用いて接続固定されている。この場合、胴部２１１およびガラス板２１２は、内部構造を保護する外壁として用いられるとともに、ガラス板２１２を介して、ガラス板２１２の直下に設けられるＬＣＤ５０１等の表示部５０の表示をユーザーが閲覧可能な構成としてもよい。つまり本実施形態では、検出した生体情報や運動状態を表す活動情報、あるいは時刻情報等の種々の情報をＬＣＤ５０１を用いて表示し、当該表示を第１ケース部材２１側からユーザーに提示するものであってもよい。なお、本形態において、ＬＣＤ５０１は、突起部２１Ｂの裏側に当接するように配置されている。これらの構成要素については、前述した第１実施形態の構成要素と同様であるため、本形態における詳細な説明を省略する。
【０１１６】
第１ケース部材２１のガラス板２１２の外周側には、ガラス板２１２の外縁に沿ってベゼル３１３が配置されている。ベゼル３１３は、ガラス板２１２を囲むリング状（円環状）の部材であり、例えばステンレス材や真鍮（黄銅）材の表面に、メッキ処理を施した材料で形成することができる。
【０１１７】
また、ガラス板２１２の外縁部分には、ガラス板２１２とＬＣＤ５０１との間に設けられているリング状のタッチセンサー５５０が配置されている。タッチセンサー５５０は、ユーザーの指先などによってガラス板２１２を触れることによって生じる電極と人体（指先）の間に生じる静電容量の変化を検知し、タッチ状態を検出する。そして、複数配置された電極における静電容量の変化の方向などによって指の移動方向を検出することができる。このようなタッチセンサー５５０によるユーザーの指の動き（移動方向）の検知に基づいて、第１実施形態において説明した回転ベゼル２１３（図５参照）と同様に、移動量や回転方向（必要に応じて回転速度）を検出することができる。なお、タッチセンサー５５０の形状はリング状に限らず、表示部５０の表示に支障が無ければどのような形状であってもよい。また、タッチセンサー５５０は、ガラス板２１２に組み込まれたり、ガラス板２１２の表面側に配置されたりしてもよい。
【０１１８】
また、ウェアラブル機器１００Ａは、その機能構成として、図１７に示されているように、センサー部２００、ＧＰＳアンテナ２８０、処理部３００、入力部３９０、報知部４００、電源部としての二次電池５１０、記憶部５２０、ボタン５３０、および通信部５４０を含んでいる。これらの構成要素については、前述した第１実施形態の構成要素と同様であるため、本形態における詳細な説明を省略する。
【０１１９】
（第２実施形態に係るウェアラブル機器の表示方法）
次に、第２実施形態に係るウェアラブル機器１００Ａの表示方法を、図１８に沿って説明する。図１８は、第２実施形態に係るウェアラブル機器の表示方法を示すフローチャートである。なお、以下の説明では、第１実施形態に係るウェアラブル機器１００と異なる工程（ステップ）を中心に説明し、同様な工程（ステップ）の説明は、同符号（同ステップ符号）を付して説明を省略する。
【０１２０】
ウェアラブル機器１００Ａの表示方法は、目標情報を入力するステップＳ１１０と、活動を計測するステップＳ１１２と、活動情報を導出するステップＳ１１４と、活動情報を表示および記憶するステップＳ１１６と、タッチセンサー５５０の操作を確認するステップＳ１１９と、タッチセンサー５５０の操作方向（指の移動方向）を確認するステップＳ１２０と、選択された時点の活動情報を表示するステップＳ１２２，Ｓ１２４と、を含んでいる。第２実施形態に係るウェアラブル機器１００Ａの表示方法は、前述の第１実施形態に係るウェアラブル機器１００と、表示の切り替え方法が異なるものであり、具体的には、タッチセンサー５５０の操作を確認するステップＳ１１９、およびタッチセンサー５５０の操作方向（指の移動方向）を確認するステップＳ１２０が第１実施形態と異なる。以下、タッチセンサー５５０の操作を確認するステップＳ１１９、およびタッチセンサー５５０の操作方向（指の移動方向）を確認するステップＳ１２０を中心に説明する。ウェアラブル機器１００Ａの表示態様においては、図１０および図１１を参照して説明した第１実施形態と同様とすることができる。また、以下の手順の説明では、上述した運動支援システム１０００の構成の説明に用いた符号と同じ符号を適用して説明する。
【０１２１】
第２実施形態に係るウェアラブル機器１００Ａの表示方法では、目標情報を入力するステップＳ１１０と、活動を計測するステップＳ１１２と、活動情報を導出するステップＳ１１４と、活動情報を表示および記憶するステップＳ１１６と、を実行する。これらのステップにおいて、目標ラップタイムなどの目標情報の入力、各センサーによるユーザーの活動（運動）の計測や検知、活動情報として導出、導出した複数の時点におけるユーザーの活動情報やデータを順次表示部５０に表示すると共に順次記憶部５２０への保存（記憶）、などが行なわれている。
【０１２２】
次に、処理部３００は、ユーザーによってタッチセンサー５５０の操作（タッチ操作）が行われたか否かを判定する（ステップＳ１１９）。換言すれば、処理部３００は、タッチセンサー５５０の操作（タッチおよび指の移動）に対応して出力される操作信号が出力されたか否かを判定する。ステップＳ１１９において、タッチセンサー５５０の操作が行われたと判定された場合（ステップＳ１１９：Ｙｅｓ）、処理部３００は次のステップに進み、タッチセンサー５５０の操作方向（指の移動方向）が第１の方向か否かを判定する（ステップＳ１２０）。なお、ステップＳ１１９において、タッチセンサー５５０の操作が行われていないと判定された場合（ステップＳ１１９：Ｎｏ）は、前のステップＳ１１６に戻る。
【０１２３】
ステップＳ１２０において、タッチセンサー５５０の操作方向（指の移動方向）が第１の方向であると判定された場合（ステップＳ１２０：Ｙｅｓ）、処理部３００は、選択時点を第１の時点の後刻である第２の時点から第１の時点へ移動するように選択し、選択された選択時点に係る活動情報の表示を行う（ステップＳ１２２）。この場合（ステップＳ１２２）の表示は、図１２Ａ〜図１２Ｃを参照した表示例と同様である。
【０１２４】
ステップＳ１２０において、タッチセンサー５５０の操作方向が第１の方向ではない、即ち第２の方向であると判定された場合（ステップＳ１２０：Ｎｏ）、処理部３００は、選択時点を第１の時点から、第１の時点の後刻である第２の時点へ移動するように選択し、選択された選択時点に係る活動情報の表示を行う（ステップＳ１２４）。この場合（ステップＳ１２４）の表示は、図１３Ａ〜図１３Ｃを参照した表示例２と同様である。
【０１２５】
このように、第２実施形態に係るウェアラブル機器１００Ａの構成および表示方法によれば、タッチセンサー５５０の操作方向（指の移動方向）に基づいて、容易に選択時点の選択方法を変えることができる。つまり、タッチセンサー５５０が第１の方向に移動操作された場合には、選択時点は第２の時点から第１の時点へ移動し、これに対しタッチセンサー５５０が第１の方向と反対方向の第２の方向に操作された場合には、選択時点は第１の時点から第２の時点へ移動するように時点を選択することができる。
【０１２６】
（表示方法の変形例）
次に、図１９を参照して表示方法の変形例について説明する。図１９は、表示方法の変形例を示す平面図である。以下の説明では、前述の第１実施形態と同様の構成や表示方法については、同符号を付すと共にその説明を省略することがある。
【０１２７】
本変形例に係る表示方法は、ユーザーの入力した目標情報と導出された活動情報とを選択時点において比較した比較情報を処理部３００（データ処理部３２０）によって算出し、算出した比較情報をウェアラブル機器１００Ｂの表示部５０に表示する。
【０１２８】
本変形例に係る表示方法は、図１９に示すように、ウェアラブル機器１００Ｂの表示部５０は、第１実施形態と同様に、図中に示す破線ＡＬで分割された中央部側の第１の領域ＡＲ１と、破線ＡＬよりも外周側（回転ベゼル２１３側）の第２の領域ＡＲ２とを有している。そして、第１の領域ＡＲ１には、その時点でのユーザーの活動情報が順次表示される。本例では、上部に、その時点のラップ数が表示され、中央部に、その時点におけるラップタイムおよび目標タイムが表示され、下部にその時点における平均脈拍数が表示されている。また、第２の領域ＡＲ２には、選択された選択時点の活動情報を視覚的に表示するリング状の第１のインジケーターＩｎｇ１と、選択された選択時点における目標情報を視覚的に表示するリング状の第２のインジケーターＩｎｇ２と、が表示されている。
【０１２９】
図１９には、表示する時点として選択された「ラップ４」の時点の活動情報の表示が例示されている。本例では、表示部５０の第１の領域ＡＲ１の上部に、その時点（選択時点）のラップ数Ｌｐ１として「Ｌａｐ４」が表示され、中央部に、「ラップ４」の時点におけるラップタイムＬｔ１として「０２：４７（２分４７秒）」と、ラップタイムＬｔ１の下部に並行して、「ラップ４」の時点におけるラップタイムにおける目標情報であるラップタイム目標値Ｌｔ２として「０２：４２（２分４２秒）」が、比較情報として表示されている。また、表示部５０の下部には、「ラップ４」の時点における平均脈拍数Ｐｕ１として「１０４ｂｐｍ」が表示されている。
【０１３０】
また、第２の領域ＡＲ２には、リング状に並行する二つのインジケーターＩｎｇ１，Ｉｎｇ２が配置されている。中心側に位置する第１のインジケーターＩｎｇ１は、選択時点である「ラップ４」における進捗情報としての活動情報（ラップタイム）の実績値、詳細には、ラップタイムＬｔ１として「０２：４７（２分４７秒）」に対応した実績値がリングの長さによって表現されている。また、外周側に位置する第２のインジケーターＩｎｇ２は、選択された選択時点における目標情報（目標ラップタイム）であるラップタイム目標値Ｌｔ２としての「０２：４２（２分４２秒）」に対応した長さのリングによって表示する。本例では、表示されている選択時点である「ラップ４」のときの目標情報として、１周（３６０°）をラップ４／ラップ２０した角度まで伸びたリングによって表現されている。
【０１３１】
なお、上述した目標情報の設定においては、以下に例示するようなパターンによって行うことができる。
１）上述の実施形態で説明したように、ウェアラブル機器１００，１００Ａ，１００Ｂの入力部３９０から設定する。
２）スマートフォンやタブレット型の端末装置などのアプリで設定し、ＢＬＥ（Bluetooth Low Energy）などによりウェアラブル機器１００，１００Ａ，１００Ｂへ送信する。
３）ＰＣ（Personal Computer）で設定し、ネットワークＮＥを介してサーバーを経由し、サーバーもしくはサーバーと同期したスマートフォンやタブレット型の端末装置などからウェアラブル機器１００，１００Ａ，１００Ｂへ送信する。
【０１３２】
このように、目標情報と活動情報（進捗情報）とを比較表示することにより、ユーザーは、選択時点における目標情報と活動情報（進捗情報）とを比較した比較情報を表示部５０の表示から容易に確認することができる。換言すれば、ユーザーは、選択時点における自身の活動の状況、つまり各選択時間において目標と比較しながら自身の活動の優劣、進捗の度合い（進捗状況）などを確認することができる。
【０１３３】
なお、上述した実施形態における表示方法において、例えば、以下に記載するような条件を設けることによって、さらに効率的な表示を行うことができる。
【０１３４】
Ａ）レースや運動中で、計測を終了したり、もしくは一時停止したりしていないときは、ベゼル部としての回転ベゼル２１３の回転操作やタッチセンサー５５０の操作（タッチ操作）を検出しても受け付けず、活動情報の履歴情報を表示しない。
このようにすることで、ユーザーの誤操作を防ぐことができる。
【０１３５】
Ｂ）レースの途中、もしくはワークアウトの途中で計測が「一時停止」の状態になった場合、回転ベゼル２１３の回転操作を受け付け、活動情報の履歴情報を表示する。なお、「一時停止」の状態は、例えば体動センサーや位置センサーなどのセンサーの検出に基づいて判定されてもよいし、ユーザーのボタン操作などによって設定されてもよい。
このようにすることで、ユーザーが意図した時に活動情報の履歴情報を表示することができる。
【０１３６】
Ｃ）レースやワークアウトが終了するとユーザーから計測終了操作を受け付け、計測データのセーブ操作（記憶操作）を受け付ける。そして、セーブ操作（記憶操作）の受け付け後に、回転ベゼル２１３の回転操作が行われた場合に、活動情報の履歴情報の歴閲覧が可能になる。
このようにすることで、データの保存し忘れを防止できる。
【０１３７】
Ｄ）セーブ操作（記憶操作）後に表示できる情報の種類数は、ワークアウト中断時に表示できる情報の種類数よりも多い。
このようにすることで、ワークアウト時には、ユーザーが興味ある一部の情報だけを表示するように構成することができ、処理部による無駄な演算を省くことができる。
【０１３８】
なお、上述では、ユーザー（装着者）の所与の部位に装着される携帯型電子機器として、ユーザーの手首に装着されるリスト機器を例示して説明したが、次のような装着例を例示することができる。携帯型電子機器としては、例えば首に掛けるネックレス様の構成、胴体や足首などに装着する構成、もしくは携帯型情報端末のようにユーザーがポケットやバッグの中に保持する構成などであってもよい。
【０１３９】
また、衛星測位システムとしてＧＰＳ（Global Positioning System）を用いて説明したが、他の全地球航法衛星システム（ＧＮＳＳ：Global Navigation Satellite System）を利用してもよい。例えば、ＥＧＮＯＳ(European Geostationary-Satellite Navigation Overlay Service)、ＱＺＳＳ（Quasi Zenith Satellite System）、ＧＬＯＮＡＳＳ（GLObal NAvigation Satellite System）、ＧＡＬＩＬＥＯ、ＢｅｉＤｏｕ（BeiDou Navigation Satellite System）、等の衛星測位システムのうち１又は２以上を利用してもよい。また、衛星測位システムの少なくとも１つにＷＡＡＳ（Wide Area Augmentation System）、ＥＧＮＯＳ（European Geostationary-Satellite Navigation Overlay Service）等の静止衛星型衛星航法補強システム（ＳＢＡＳ：Satellite-based Augmentation System）を利用してもよい。
【符号の説明】
【０１４０】
１０…バンド部、１２…嵌合穴、１４…尾錠、１５…尾錠枠、１６…係止部、２１…第１ケース部材（トップケース）、２１Ａ…壁部、２１Ｂ…突起部、２２…第２ケース部材（ボトムケース）、３０…ケース部、３４…溝、３５…モジュール基板、３７Ａ…第１センサーユニット、３７Ｂ…第２センサーユニット、４０…生体センサー部、４１…光学パターン、４１ａ…吸収領域、４１ｂ…反射領域、４２…カバーガラス、４３…パッキン、４４…ＬＥＤ、４４Ａ…遮光板、４５…フォトダイオード、４６…突条、４７…Ｏリング、４８…基板、４９…リード線、５０…表示部、５１…密封部、５１Ａ，５１Ｂ…孔、５２…パッキン、６１…回路基板、６２…パネル枠、６４…回路ケース、６７…フレキシブル基板、６８…接続基板、１００，１００Ａ，１００Ｂ…ウェアラブル機器、２００…センサー部、２１０…ＧＰＳ、２１１…胴部、２１２…ガラス板、２１３…ベゼル部としての回転ベゼル、２１４…見切り板、２１５…接着部材、２２０…脈波センサー、２２１…検出窓、２２２…土手部、２３０…加速度センサー、２４０…方位センサー、２５０…気圧センサー、２６０…温度センサー、２８０…ＧＰＳアンテナ、３００…処理部、３１０…取得部、３１３…ベゼル、３２０…データ処理部、３３０…報知処理部、３４０…記憶処理部、３９０…入力部、４００…報知部、４２０…振動モーター（バイブレーター）、５０１…ＬＣＤ、５１０…電源部としての二次電池、５２０…記憶部、５３０…ボタン、５４０…通信部、５５０…タッチセンサー、６００…携帯端末装置、７００…情報処理装置、１０００…運動支援システム、ＡＲ１…第１の領域、ＡＲ２…第２の領域、ＭＬ１，ＭＬ２…位置、ＹＪ１，ＹＪ２，ＹＪ３，ＹＪ４…矢印。
【図１】
2018189477.tif 000003
【図２】
2018189477.tif 000004
【図３】
2018189477.tif 000005
【図４】
2018189477.tif 000006
【図５】
2018189477.tif 000007
【図６】
2018189477.tif 000008
【図７】
2018189477.tif 000009
【図８】
2018189477.tif 000010
【図９】
2018189477.tif 000011
【図１０】
2018189477.tif 000012
【図１１】
2018189477.tif 000013
【図１２Ａ】
2018189477.tif 000014
【図１２Ｂ】
2018189477.tif 000015
【図１２Ｃ】
2018189477.tif 000016
【図１３Ａ】
2018189477.tif 000017
【図１３Ｂ】
2018189477.tif 000018
【図１３Ｃ】
2018189477.tif 000019
【図１４Ａ】
2018189477.tif 000020
【図１４Ｂ】
2018189477.tif 000021
【図１４Ｃ】
2018189477.tif 000022
【図１５】
2018189477.tif 000023
【図１６】
2018189477.tif 000024
【図１７】
2018189477.tif 000025
【図１８】
2018189477.tif 000026
【図１９】
2018189477.tif 000027